(57)【要約】【課題】測定流路のライニングが摩耗しても電極のシールが確保出来、しかも、電極のシール面が面対面で構成出来、シールの信頼性が高い電磁流量計を提供する。【解決手段】測定流体が流れる測定管と、この測定管の内径面にライニングされた筒状のライニング体と、前記測定管と前記ライニング体とを貫通して設けられ前記測定流体に一端が接する柱状の電極と、を具備する電磁流量計において、シール材よりなり前記ライニング体の外周面に設けられ前記電極が中心軸を貫通する円錐柱状の電極シール体と、この円錐柱状の電極シール体の周面に内面が接して設けられ前記測定流体の前記測定管外へ流出するのをシールする内面が円錐柱状をなすソケットと、前記電極に設けられ前記電極シール体と前記ソケットとの接面を押圧する押圧手段とを具備したことを特徴とする電磁流量計である。【選択図】        図１
2004333406.tif 000002
【特許請求の範囲】
【請求項１】
測定流体が流れる測定管と、
この測定管の内径面にライニングされた筒状のライニング体と、
前記測定管と前記ライニング体とを貫通して設けられ前記測定流体に一端が接する柱状の電極と、
を具備する電磁流量計において、
シール材よりなり前記ライニング体の外周面に設けられ前記電極が中心軸を貫通する円錐柱状の電極シール体と、
この円錐柱状の電極シール体の周面に内面が接して設けられ前記測定流体の前記測定管外へ流出するのをシールする内面が円錐柱状をなすソケットと、
前記電極に設けられ前記電極シール体と前記ソケットとの接面を押圧する押圧手段と
を具備したことを特徴とする電磁流量計。
【請求項２】
電極シール体あるいは前記ソケットの円錐周面に少なくとも一個の突起状体が設けられたこと
を特徴とする請求項１記載の電磁流量計。
【請求項３】
前記電極シール体は、ゴム材よりなること
を特徴とする請求項１又は請求項２記載の電磁流量計。
【請求項４】
前記電極シール体は、ウレタン系樹脂を有すること
を特徴とする請求項１乃至請求項２の何れかに記載の電磁流量計。
【請求項５】
前記電極シール体は、フッ素系樹脂を有すること
を特徴とする請求項１乃至請求項２の何れかに記載の電磁流量計。
【請求項６】
前記押圧手段は、皿ばねよりなること
を特徴とする請求項１乃至請求項５の何れかに記載の電磁流量計。
【請求項７】
前記押圧手段は、コイルスプリングよりなること
を特徴とする請求項１乃至請求項５の何れかに記載の電磁流量計。
【発明の詳細な説明】
【０００１】
【発明の属する技術分野】
測定流路のライニングが摩耗しても電極のシールが確保出来、しかも、電極のシール面が面対面で構成出来、シールの信頼性が高い電磁流量計に関するものである。
【０００２】
【従来の技術】
図６は、従来より一般に使用されている従来例の構成説明図で、例えば、書名；計装メーカが書いたフィールド機器・虎の巻、、発行日；平成１３年４月１７日発行、発行人；稲橋一彦、発行所；（有）工業技術社に示されている（例えば、非特許文献１参照。）。
【０００３】
図において、１は測定管で、この場合は、セラミックスが使用されている。
２は測定管１に設けられたライニング体である。
３はライニング体２に設けられたパンチプレートである。
【０００４】
４はライニング体２に設けられた柱状の電極である。
５は電極４の一端側の周端に突起状に設けられたシール部である。
６は測定管１の外周に一方の面が接して、電極４に取り付けられた第１のスペーサである。
【０００５】
７は、第１のスペーサ６の他方の面に一方の端が接して、電極４に取り付けられたバネである。
８は、バネ７の他方の端に一方の面が接して、電極４に取り付けられた第２のスペーサである。
【０００６】
９は、第２のスペーサ８の他方の面に一方の面が接して、電極４の他端側に設けられたネジ部１１にねじ合わされたナットである。
【０００７】
以上の構成において、ナット９を締め込むと、バネ７が縮み、電極４がライニング体２に押し付けられ、シール部分が形成される。
測定流体ＦＬは矢印方向にながれる。
【０００８】
【非特許文献１】
稲橋一彦発行、計装メーカが書いたフィールド機器・虎の巻、第１版、
（有）工業技術社、平成１３年４月１７日、
Ｐ１１０、図１２−７−２。
【０００９】
【発明が解決しようとする課題】
しかしながら、このような装置においては、以下の問題点がある。
使用される測定流体によっては、ライニング体３を磨耗するような測定流体がある。
このような場合に、内挿電極４を流路面でシールしているため、ライニング体３が磨耗するとシールが維持出来なくなる。
【００１０】
本発明の目的は、上記の課題を解決するもので、測定流路のライニングが摩耗しても電極のシールが確保出来、しかも、電極のシール面が面対面で構成出来、シールの信頼性が高い電磁流量計を提供することにある。
【００１１】
【課題を解決するための手段】
このような目的を達成するために、本発明では、請求項１の電磁流量計においては、
測定流体が流れる測定管と、この測定管の内径面にライニングされた筒状のライニング体と、前記測定管と前記ライニング体とを貫通して設けられ前記測定流体に一端が接する柱状の電極と、を具備する電磁流量計において、
シール材よりなり前記ライニング体の外周面に設けられ前記電極が中心軸を貫通する円錐柱状の電極シール体と、この円錐柱状の電極シール体の周面に内面が接して設けられ前記測定流体の前記測定管外へ流出するのをシールする内面が円錐柱状をなすソケットと、前記電極に設けられ前記電極シール体と前記ソケットとの接面を押圧する押圧手段とを具備したことを特徴とする。
【００１２】
本発明の請求項２においては、請求項１記載の電磁流量計において、
電極シール体あるいは前記ソケットの円錐周面に少なくとも一個の突起状体が設けられたことを特徴とする。
【００１３】
本発明の請求項３においては、請求項１又は請求項２記載の電磁流量計において、
前記電極シール体は、ゴム材よりなることを特徴とする。
【００１４】
本発明の請求項４においては、請求項１又は請求項２記載の電磁流量計において、
前記電極シール体は、ウレタン系樹脂を有することを特徴とする。
【００１５】
本発明の請求項５においては、請求項１又は請求項２記載の電磁流量計において、
前記電極シール体は、フッ素系樹脂を有することを特徴とする。
【００１６】
本発明の請求項６においては、請求項１乃至請求項５の何れかに記載の電磁流量計において、
前記押圧手段は、皿ばねよりなることを特徴とする。
【００１７】
本発明の請求項７においては、請求項１乃至請求項５の何れかに記載の電磁流量計において、
前記押圧手段は、コイルスプリングよりなることを特徴とする。
【００１８】
【発明の実施の形態】
以下図面を用いて本発明を詳しく説明する。
図１は本発明の一実施例の要部構成説明図である。
図において、図６と同一記号の構成は同一機能を表す。
以下、図６と相違部分のみ説明する。
【００１９】
円錐柱状の電極シール体１１は、シール材よりなり、ライニング体２の外周面に設けられ、電極４が中心軸を貫通する。
この場合は、電極シール体１１は、ゴム材よりなる。
電極シール体１１は、ウレタン系樹脂、フッ素系樹脂でも良い。
【００２０】
内面が円錐柱状をなすソケット１２は、この円錐柱状の電極シール体１１の周面に内面が接して設けられ、測定流体ＦＬが測定管外へ流出するのをシールする。
押圧手段１３は、電極４に設けられ、電極シール体１１とソケット１２との接面を押圧する押圧手段である。
【００２１】
この場合は、押圧手段１３は、コイルスプリングが使用されている。
なお、押圧手段１３は、皿ばねが使用されても良い。
【００２２】
以上の構成において、ナット９を締め付けると、バネ１３が縮み、ソケット１２を、電極シール体１１に押し付け、電極４のシール部分が構成される。
【００２３】
この結果、
測定管１のライニング２が摩耗しても電極４のシールが確保出来、信頼性が高い電磁流量計が得られる。
電極４のシール面がテパー面であるので、面対面のシールが構成出来、シールの信頼性が高い電磁流量計が得られる。
【００２４】
電極４のシール面がテパー面であるので、ライニング２のクリープ現象に対して対応出来、シールの信頼性が高い電磁流量計が得られる。
電極シール体１１は、ゴム材よりなるので、ゴム材は市場性が有り、容易に入手できるので、安価な電磁流量計が得られる。
【００２５】
電極シール体１１を、ウレタン系樹脂にすれば、ウレタン系樹脂は製作し易く、耐久性もあるので、安価で耐久性のある電磁流量計が得られる。
電極シール体１１を、フッ素系樹脂にすれば、フッ素系樹脂は耐薬品性が有り、耐薬品性が向上された電磁流量計が得られる。
【００２６】
押圧手段１３は、皿ばねよりなるので、皿ばねはは市場性が有り、容易に入手できるので、安価な電磁流量計が得られる。
押圧手段１３を、コイルスプリングにすれば、コイルスプリングは押圧力が容易に自在に選択出来、より効果的な電磁流量計が得られる。
【００２７】
図２は、本発明の他の実施例の要部構成説明である。
本実施例においては、電極シール体１１の円錐周面に突起状体１１１が設けられたものである。
この結果、更に、シールの信頼性が高い電磁流量計が得られる。
【００２８】
図３は、本発明の他の実施例の要部構成説明である。
本実施例においては、ソケット１２の円錐周面に、突起状体１２１が設けられたものである。
この結果、更に、シールの信頼性が高い電磁流量計が得られる。
【００２９】
図４は、本発明の他の実施例の要部構成説明である。
本実施例においては、測定管１に設けられたボス２１にナット９がねじ合わされたものである。
【００３０】
図５は、本発明の他の実施例の要部構成説明である。
本実施例においては、電極シール体３１に対して、ボス２１にソケット３２が設けられたものである。
【００３１】
なお、以上の説明は、本発明の説明および例示を目的として、特定の好適な実施例を示したに過ぎない。したがって本発明は、上記実施例に限定されることなく、その本質から逸脱しない範囲で更に多くの変更、変形をも含むものである。
【００３２】
【発明の効果】
以上説明したように、本発明の請求項１によれば、次のような効果がある。
測定流路のライニングが摩耗しても電極のシールが確保出来、信頼性が高い電磁流量計が得られる。
【００３３】
電極のシール面がテパー面であるので、面対面のシールが構成出来、シールの信頼性が高い電磁流量計が得られる。
電極のシール面がテパー面であるので、ライニングのクリープ現象に対しても対応出来、シールの信頼性が高い電磁流量計が得られる。
【００３４】
本発明の請求項２によれば、次のような効果がある。
電極シール体あるいは前記ソケットの円錐周面に少なくとも一個の突起状体が設けられたので、更に、シールの信頼性が高い電磁流量計が得られる。
【００３５】
本発明の請求項３によれば、次のような効果がある。
電極シール体は、ゴム材よりなるので、ゴム材は市場性が有り、容易に入手できるので、安価な電磁流量計が得られる。
【００３６】
本発明の請求項４によれば、次のような効果がある。
電極シール体は、ウレタン系樹脂を有するので、ウレタン系樹脂は製作し易く、耐久性もあるので、安価で耐久性のある電磁流量計が得られる。
【００３７】
本発明の請求項５によれば、次のような効果がある。
電極シール体は、フッ素系樹脂を有するので、フッ素系樹脂は耐薬品性が有り、耐薬品性が向上された電磁流量計が得られる。
【００３８】
本発明の請求項６によれば、次のような効果がある。
押圧手段は、皿ばねよりなるので、皿ばねはは市場性が有り、容易に入手できるので、安価な電磁流量計が得られる。
【００３９】
本発明の請求項７によれば、次のような効果がある。
押圧手段は、コイルスプリングよりなるので、コイルスプリングは押圧力が容易に自在に選択出来、より効果的な電磁流量計が得られる。
【００４０】
従って、本発明によれば、測定流路のライニングが摩耗しても電極のシールが確保出来、しかも、電極のシール面が面対面で構成出来、シールの信頼性が高い電磁流量計を実現することが出来る。
【図面の簡単な説明】
【図１】本発明の一実施例の要部構成説明図である。
【図２】本発明の他の実施例の要部構成説明である。
【図３】本発明の他の実施例の要部構成説明図である。
【図４】本発明の他の実施例の要部構成説明である。
【図５】本発明の他の実施例の要部構成説明図である。
【図６】従来より一般に使用されている従来例の要部構成説明図である。
【図７】図６の動作説明図である。
【符号の説明】
１      測定管
２      ライニング体
３      パンチプレート
４      電極
５      シール部
６      第１のスペーサ
７      バネ
８      第２のスペーサ
９      ナット
２１    電極シール体
２１１  突起状体
２２    ソケット
２２１  突起状体
２３    押圧手段
３１    ボス
４１    電極シール体
４２    ソケット
ＦＬ    測定流体
【図１】
2004333406.tif 000003
【図２】
2004333406.tif 000004
【図３】
2004333406.tif 000005
【図４】
2004333406.tif 000006
【図５】
2004333406.tif 000007
【図６】
2004333406.tif 000008
【図７】
2004333406.tif 000009